(57)【要約】【課題】防水機能を確保ことができる、防水ハウジングおよびその防水ガスケットを提供する。【解決手段】防水ハウジングの防水ガスケット１２は、環状体１２１、第１リング部１２２および第２リング部１２３を有する防水ガスケット１２を含む。環状体１２１は、上面１２１１およびその反対の下面１２１２を有し、第１リング部１２２は、環状体１２１の下面１２１２の内周縁から環状体１２１の外周縁から離れる方向に斜めに延び、第２リング部１２３は、環状体１２１の下面１２１２の外周縁から垂直に延びる。第１リング部１２２および第２リング部１２３の各先端は、円弧状の断面を有している。第１リング部１２２の高さは、第２リング部１２３の高さよりも大きい。第１リング部１２２および第２リング部１２３の各先端部が表面に押圧されたときに、第１リング部１２２および第２リング部１２３の各先端部が互いに分離する。【選択図】図６
0003205864.tif 000002
【実用新案登録請求の範囲】
【請求項１】
上部防水モジュールと、
底部防水モジュールとを含み、
前記上部防水モジュールは、
タッチコントロール窓を有する上部ケースと、
環状体、第１リング部および第２リング部を有する防水ガスケットとを含み、
前記環状体は、上面およびその反対の下面を有し、
前記環状体の前記上面は、前記上部ケースの内面に配置されて、前記タッチコントロール窓の周囲を取り囲み、
前記第１リング部は、前記環状体の前記下面の内周縁から前記環状体の外周縁から離れる方向に斜めに延び、
前記第２リング部は、前記環状体の前記下面の前記外周縁から垂直に延びており、
前記第１リング部および前記第２リング部の各先端は、円弧状の断面を有し、
前記環状体に対する前記第１リング部の高さは、前記環状体に対する前記第２リング部の高さよりも高く、
前記底部防水モジュールは、前記上部防水モジュール上に着脱可能に装着され、
スマートフォンが前記上部防水モジュールおよび前記底部防水モジュール内に受け入れられたときに、前記上部ケースの前記タッチコントロール窓が前記スマートフォンのタッチコントロール面を露出させ、前記第１リング部および前記第２リング部がそれらの先端部によって前記タッチコントロール面に当接するよう構成され、前記第１リング部と前記第２リング部との前記先端部とが互いに分離する、防水ハウジング。
【請求項２】
前記上部ケースは、ミュートスイッチ穴を有し、
前記上部防水モジュールは、ミュートスイッチを含み、
前記ミュートスイッチは、前記ミュートスイッチ穴に配置された細長いベース部と、前記ベース部の一端部から延びる突出部とを有し、
前記ベース部の他端部は、前記上部ケースに回動可能に接続され、
前記ミュートスイッチは、前記スマートフォンのミュートキーに係合するように構成されており、
前記突出部は、前記ミュートキーを直線的に動かすために、前記ベース部と前記上部ケースとの接続部に沿って前記ミュートスイッチを回動操作可能である、請求項１に記載の防水ハウジング。
【請求項３】
前記ベース部は、前記突出部と反対側の表面に形成されたＵ字状クリップを有し、
前記Ｕ字状クリップは、湾曲部分と、前記湾曲部分から延びた２本のアーム部分とを有し、
前記湾曲部分は、前記上部ケースの軸に回動可能に接続されており、
前記２本のアーム部分は、前記スマートフォンの前記ミュートキーを押圧するように構成されている、請求項２に記載の防水ハウジング。
【請求項４】
前記上部防水モジュールは、前記スマートフォンの音声穴を覆うために前記上部ケースに装着される防水部材を含み、
前記上部ケースは、縦溝および横溝を有し、
前記横溝は、前記縦溝に対して垂直をなし、前記縦溝と連通しており、
前記防水部材は、前記縦溝および前記横溝を介して前記上部ケースから露出している、請求項１〜３のいずれか一項に記載の防水ハウジング。
【請求項５】
前記上部ケースは、前記スマートフォンの挿通孔と一直線に並ぶように挿通溝を有し、
前記防水ハウジングは、前記挿通溝に脱着可能に挿入された防水コルクをさらに含み、
前記防水コルクは、前記上部ケースに回動可能に接続されることにより、前記上部ケースに対して回動可能であり、複数の所定角のうちの１つの角度で止まるように構成されている、請求項４に記載の防水ハウジング。
【請求項６】
前記防水コルクは、その一端部および他端部との間に設けられた貫通孔を有し、
前記貫通孔は、前記縦溝と連通している、請求項５に記載の防水ハウジング。
【請求項７】
前記底部防水モジュールは、底部ハードケースおよび前記底部ハードケース上に配置された弾力性を有する底部ソフトケースとを含み、
前記底部ソフトケースは、前記底部ハードケースの内面に設けられた防水環を有し、
前記防水環および前記底部ハードケースの周縁部は、環状の収容溝を区画し、
前記底部ソフトケースは、前記防水環の外周縁に形成された２つの環状の当接部を有し、
前記上部防水モジュールは、上部ハードケースおよび前記上部ハードケース上に配置された弾力性を有する上部ソフトケースとを含み、
前記上部ハードケースは、平坦な内面を有する環状の挿入部を有し、
前記挿入部は、前記収容溝に挿入され、
前記当接部は、前記挿入部の内面によって押圧される、請求項１〜６のいずれか一項に記載の防水ハウジング。
【請求項８】
前記防水ガスケットは、熱可塑性シリコーン加硫物製であり、
前記第１リング部と前記環状体との間の角度は、１００度より大きく、かつ、１３０度より小さい、請求項１〜７のいずれか一項に記載の防水ハウジング。
【請求項９】
防水ハウジングの防水ガスケットであって、
上面およびその反対の下面を有する環状体と、
前記環状体の前記下面の内周縁から前記環状体の外周縁から離れる方向に斜めに延び、先端が円弧状の断面を有する第１リング部と、
前記環状体の前記下面の前記外周縁から垂直に延び、先端が円弧状の断面を有する第２リング部とを含み、
前記環状体に対する前記第１リング部の高さは、前記環状体に対する前記第２リング部の高さよりも高く、
前記第１リング部および前記第２リング部の各先端部が表面に押圧されたときに、前記第１リング部および前記第２リング部の各先端部が互いに分離する、防水ガスケット。
【請求項１０】
前記防水ガスケットは、熱可塑性シリコーン加硫物製であり、
前記第１リング部と前記環状体との間の角度は、１００度より大きく、かつ、１３０度より小さい、請求項９に記載の防水ガスケット。
【考案の詳細な説明】
【技術分野】
【０００１】
本考案は、スマートフォンの保護用ハウジング、とくに、防水ハウジングおよびその防水ガスケットに関する。
【背景技術】
【０００２】
技術の進歩とともに、多くの電子デバイスは、少なくとも一つのカメラを備えるようになっており、人々は電子デバイスを用いていつでも写真を撮ることができる。電子デバイスは、スマートフォンであってもよい。いくつかの種類のスマートフォンは、防水機能を売りにしているが、防水機能の効果は、非常に限定的である。スマートフォンが実際に水中で動作しても、水がスマートフォンの中に浸入しやすく、故障の問題を引き起こす。この故障の問題を防ぐため、ユーザーは、スマートフォンを防水ハウジングの中に入れて、防水ハウジングによる防水効果を得ることがある。
【０００３】
従来の防水ハウジングは、防水ガスケットを用いることにより、防水機能を備えていることが多い。ところが、防水ガスケットは、スマートフォンのタッチコントロール面に当接する一重リング部のみを有しているため、その防水ガスケットでは、埃が一重リング部とスマートフォンのタッチコントロール面との間に蓄積されたときに、従来の防水ハウジングの防水機能を失いやすい。
【先行技術文献】
【特許文献】
【０００４】
【特許文献１】特開２０１３−２３５５３３号公報
【考案の概要】
【考案が解決しようとする課題】
【０００５】
本考案の目的は、従来の防水ハウジングにより生じる問題を効果的に解決するための防水ハウジングおよびその防水ガスケットを提供することである。
【課題を解決するための手段】
【０００６】
前記の目的を達成するため、本考案の一の局面に係る防水ハウジングは、上部防水モジュールと、底部防水モジュールとを含み、前記上部防水モジュールは、タッチコントロール窓を有する上部ケースと、環状体、第１リング部および第２リング部を有する防水ガスケットとを含み、前記環状体は、上面およびその反対の下面を有し、前記環状体の前記上面は、前記上部ケースの内面に配置されて、前記タッチコントロール窓の周囲を取り囲み、前記第１リング部は、前記環状体の前記下面の内周縁から前記環状体の外周縁から離れる方向に斜めに延び、前記第２リング部は、前記環状体の前記下面の前記外周縁から垂直に延びており、前記第１リング部および前記第２リング部の各先端は、円弧状の断面を有し、前記環状体に対する前記第１リング部の高さは、前記環状体に対する前記第２リング部の高さよりも高く、前記底部防水モジュールは、前記上部防水モジュール上に着脱可能に装着され、スマートフォンが前記上部防水モジュールおよび前記底部防水モジュール内に受け入れられたときに、前記上部ケースの前記タッチコントロール窓が前記スマートフォンのタッチコントロール面を露出させ、前記第１リング部および前記第２リング部がそれらの先端部によって前記タッチコントロール面に当接するよう構成され、前記第１リング部と前記第２リング部との前記先端部とが互いに分離する。
【０００７】
また、本考案の他の局面に係る防水ハウジングの防水ガスケットは、上面およびその反対の下面を有する環状体と、前記環状体の前記下面の内周縁から前記環状体の外周縁から離れる方向に斜めに延び、先端が円弧状の断面を有する第１リング部と、前記環状体の前記下面の前記外周縁から垂直に延び、先端が円弧状の断面を有する第２リング部とを含み、前記環状体に対する前記第１リング部の高さは、前記環状体に対する前記第２リング部の高さよりも高く、前記第１リング部および前記第２リング部の各先端部が表面に押圧されたときに、前記第１リング部および前記第２リング部の各先端部が互いに分離する。
【考案の効果】
【０００８】
本考案によれば、第１リング部の先端と第２リング部の先端とは、その補強特性を高めるために円弧状の断面を備え、それにより、スマートフォンのタッチコントロール面と防水ガスケットとの間に埃が蓄積することを防止している。さらに、第２リング部１２３が環状体１２１に対して垂直をなしているため、第１リング部１２２および第２リング部１２３の各先端が互いに重ならず、それにより、第１リング部１２２および第２リング部１２３が二層防水効果を効果的に達成するよう構成されている。
【図面の簡単な説明】
【０００９】
【図１】本考案に係る防水ハウジングをスマートフォンとともに示す斜視図である。
【図２】図１に示される防水ハウジングの分解斜視図である。
【図３】図１に示される防水ハウジングの他の視点から見た分解斜視図である。
【図４】図３に示される上部防水モジュールおよび防水コルクモジュールを示す分解斜視図である。
【図５】防水ハウジングの上部防水モジュールを示す分解斜視図である。
【図６】防水ハウジングの防水ガスケットを示す断面図である。
【図７】図１に示される切断面線VII−VIIにおける防水ハウジングおよびスマートフォンの断面図である。
【図８】図５に示されるＡ部分を示す拡大図である。
【図９】上部ソフトケースを省略した防水ハウジングの一部を示す拡大図である。
【図１０】上部防水モジュールおよび防水コルクモジュールを示す分解斜視図である。
【図１１】防水ハウジングの断面図である。
【図１２】図１に示される切断面線XII−XIIにおける防水ハウジングおよびスマートフォンの断面図である。
【図１３】図１２に示される防水ハウジングの防水コルクが開いた状態を示す断面図である。
【図１４】防水ハウジングの底部防水モジュールを示す断面図である。
【考案を実施するための形態】
【００１０】
以下では、本考案の実施の形態について、添付図面の図１〜１４を参照しつつ詳細に説明する。しかしながら、添付図面は、単に一例を示すものであり、本考案の範囲を限定するものではない。
【００１１】
＜防水ハウジング＞
図１から図３に示されるように、本実施形態は、指紋機能を有するスマートフォン２００を被覆するために提供される防水ハウジング１００を開示する。防水ハウジング１００は、スマートフォン２００の指紋機能（指紋認証機能）に影響を与えない。防水ハウジング１００は、上部防水モジュール１、防水コルクモジュール２および底部防水モジュール３を含む。防水コルクモジュール２は、上部防水モジュール１の底部に着脱可能に装着されており、底部防水モジュール３は、上部防水モジュール１と着脱可能に係合しており、上部防水モジュール１の底部と底部防水モジュール３の底部とは、防水コルクモジュール２を挟んでいる。本実施形態における上部防水モジュール１および底部防水モジュール３は、互いに係合しているため、本開示における防水ハウジング１００は、上部防水モジュールおよび上部防水モジュールに螺合している底部防水モジュールとを備える防水ハウジング（図示せず）ではない。
【００１２】
＜スマートフォン＞
スマートフォン２００は、図２に示されるように、タッチコントロール面２０１、ミュートキー２０２、マイク穴２０３、スピーカ穴２０４、イヤホン穴２０５およびコネクタ穴２０６を含む。本実施形態におけるマイク穴２０３およびスピーカ穴２０４は、いずれも音声穴と呼ばれており、本実施形態におけるイヤホン穴２０５およびコネクタ穴２０６は、いずれも挿入穴と呼ばれている。本実施形態は、防水ハウジング１００に関連するスマートフォン２００のいくつかの構成部品のみを開示する。また、スマートフォン２００および防水ハウジング１００は、モバイルデバイス（符号なし）として定義される。
【００１３】
防水ハウジング１００の構造を明確に開示するため、以下の説明では、上部防水モジュール１、防水コルクモジュール２および底部防水モジュール３の各構造を開示し、その後でそれぞれの関係性を開示する。
【００１４】
＜上部防水モジュール＞
図４および図５に示されるように、上部防水モジュール１は、上部ケース１１、防水ガスケット１２およびミュートスイッチ１３を含む。上部ケース１１は、上部ハードケース１１１および弾力性を有する上部ソフトケース１１２を備えている。上部ソフトケース１１２は、上部ハードケース１１１の一部を被覆する。上部ハードケース１１１と上部ソフトケース１１２とは、互いに着脱可能に係合可能または押出成形法によって一体的に形成可能である。上部ハードケース１１１は、環状のトッププレート（符号なし）とトッププレートの端に垂直に接続されているサイドプレート（符号なし）を有する。上部ソフトケース１１２は、サイドプレートの外面およびトッププレートの周縁部の外面上に形成されている。後述の説明は、上部ハードケース１１１および上部ソフトケース１１２の各構造をそれぞれ開示するが、図示されない実施形態における上部ハードケース１１１および上部ソフトケース１１２は、一部品であってもよい。
【００１５】
具体的には、上部ハードケース１１１は、図５に示されるように、トッププレートの中央部に配備された矩形状のタッチコントロール窓１１１１と、トッププレートの内面に形成された環状切欠１１１２とを有する。環状切欠１１１２は、タッチコントロール窓１１１１の周囲を取り囲む。上部ハードケース１１１は、サイドプレートに形成されたミュートスイッチ穴１１１３と、ミュートスイッチ穴１１１３内に配備された軸１１１４とを有する。さらに、上部ソフトケース１１２は、図４に示されるように、その外側に配備されるボタン１１２１を有し、ボタン１１２１は、ミュートスイッチ穴１１１３と位置が対応している。言い換えると、ミュートスイッチ穴１１１３は、ボタン１１２１に遮蔽されている。
【００１６】
図５、図６および図７に示されるように、本実施形態における防水ガスケット１２は、防水ガスケット１２上に埃が付着することを防ぐために熱可塑性シリコーン加硫物（ＴＰＳｉＶ：登録商標）製であるが、それに限定されない。防水ガスケット１２は、環状体１２１、第１リング部１２２および第２リング部１２３を有する。環状体１２１は、上面１２１１および下面１２１２を有し、環状体１２１の厚さ（すなわち、上面１２１１と下面１２１２との間の距離）は、上部ハードケース１１１の環状切欠１１１２の深さと略同一である。第１リング部１２２は、環状体１２１の下面１２１２の内周縁から環状体１２１の外周縁から離れる方向に斜めに延びている。第２リング部１２３は、環状体１２１の下面１２１２の外周縁から垂直に延びている。
【００１７】
具体的に、第１リング部１２２と環状体１２１との間の角度は、１００度より大きく、かつ、１３０度より小さく、本実施形態では約１１０度であるが、それに限定されない。第１リング部１２２および第２リング部１２３の各先端（環状体１２１から離れた端）は、円弧状の断面を有する。環状体１２１に対する第１リング部１２２の高さは、環状体１２１に対する第２リング部１２３の高さよりも大きい。さらに、環状体１２１の上面１２１１は、上部ケース１１の内面の環状切欠１１１２に配置され、タッチコントロール窓１１１１を取り囲んでいる。第１リング部１２２および第２リング部１２３は、環状切欠１１１２から突出している。第１リング部１２２および第２リング部１２３の各先端が、表面（例えば、図７に示されるスマートフォン２００のタッチコントロール面２０１）に押圧されたとき、第１リング部１２２および第２リング部１２３の各先端は、互いに分離する。
【００１８】
言い換えると、スマートフォン２００が上部防水モジュール１および底部防水モジュール３内に受け入れられたときに、上部ケース１１のタッチコントロール窓１１１１がスマートフォン２００のタッチコントロール面２０１を露出させ、第１リング部１２２および第２リング部１２３の各先端がスマートフォン２００のタッチコントロール面２０１に当接するように第１リング部１２２および第２リング部１２３が構成され、第１リング部１２２および第２リング部１２３の各先端が互いに分離する（すなわち、第１リング部１２２および第２リング部１２３の各先端が互いに接触しない）。
【００１９】
なお、防水ガスケットの第１リング部および第２リング部の各先端が尖った構造（図示せず）である場合、タッチコントロール面と第１リング部（または第２リング部）の先端との間に埃が蓄積しやすく、防水ガスケットの防水機能が失われるように第１リング部の先端を変形させる。したがって、本実施形態における第１リング部１２２の先端と第２リング部１２３の先端とは、その補強特性を高めるために円弧状の断面を備え、それにより、スマートフォン２００のタッチコントロール面２０１と防水ガスケット１２との間に埃が蓄積することを防止している。
【００２０】
さらに、第１リング部および第２リング部が環状体の下面から斜めに延びている場合（図示せず）、防水ガスケットがタッチコントロール面を押圧したときに、第１リング部が第２リング部上に重なる。したがって、タッチコントロール面と第１リング部との間に埃が蓄積した場合、重なった第１リング部および第２リング部は、防水機能を容易に失うように変形する。よって、本実施形態では、第１リング部１２２と環状体１２１との間の角度が特定の範囲に規定され、第２リング部１２３が環状体１２１に対して垂直をなしているため、第１リング部１２２および第２リング部１２３の各先端が互いに重ならず、それにより、第１リング部１２２および第２リング部１２３が二層防水効果を効果的に達成するよう構成されている。
【００２１】
図８および図９に示されるように、ミュートスイッチ１３は、細長いベース部１３１およびベース部１３１の一端部から垂直に延びる柱状の突出部１３２を有している。ベース部１３１の他端部は、貫通孔１３１１を有する。ベース部１３１は、ミュートスイッチ穴１１１３内に設けられており、上部ケース１１の軸１１１４は、ベース部１３１の貫通孔１３１１に回動可能に挿入されており、突出部１３２は、ミュートスイッチ穴１１１３から突出してボタン１１２１に挿入されている。
【００２２】
具体的には、ベース部１３１は、突出部１３２と反対側の表面（すなわち、図８に示されるベース部１３１の左面）に形成されたＵ字状クリップ１３１２を有する。Ｕ字状クリップ１３１２は、湾曲部分１３１３と、湾曲部分１３１３から平行して延びた２本のアーム部分１３１４とを有する。Ｕ字状クリップ１３１２の湾曲部分１３１３は、上部ケース１１の軸１１１４に回動可能に接続されており（または軸１１１４を挟んでおり）、Ｕ字状クリップ１３１２の２本のアーム部分１３１４は、図９に示されるように、スマートフォン２００のミュートキー２０２を押下するように構成されている。したがって、ボタン１１２１（または突出部１３２）は、ミュートキー２０２を直線的に動かすために、ベース部１３１と上部ケース１１との接続部に沿ってミュートスイッチ１３を回動操作可能である。
【００２３】
また、図４および図５に示されるように、上部防水モジュール１は、マイク防水部材１４とスピーカ防水部材１５とを含む。本実施形態におけるマイク防水部材１４およびスピーカ防水部材１５は、いずれも防水部材と呼ばれている。マイク防水部材１４は、スマートフォン２００のマイク穴２０３を被覆するように構成されている。スピーカ防水部材１５は、スマートフォン２００のスピーカ穴２０４を被覆するよう構成されている。
【００２４】
さらに、上部ケース１１におけるマイク防水部材１４およびスピーカ防水部材１５とそれぞれ位置が対応する２箇所の各箇所には、図１１に示されるように、縦溝Ｃ１および縦溝Ｃ１に対して垂直をなす横溝Ｃ２が形成されている。各横溝Ｃ２は、縦溝Ｃ１と空気連通している。マイク防水部材１４およびスピーカ防水部材１５は、対応する縦溝Ｃ１および対応する横溝Ｃ２を介して、上部ケース１１からそれぞれ露出している。したがって、防水ハウジング１００は、スマートフォン２００が発生した音声をユーザーが縦溝Ｃ１から明瞭に聞き取れるように提供される。
【００２５】
上部ケース１１の上部ハードケース１１１は、第１挿通溝１１１５および第２挿通溝１１１６を有している。本実施形態における第１挿通溝１１１５および第２挿通溝１１１６は、いずれも挿通溝と呼ばれている。第１挿通溝１１１５は、図１２に示されるように、スマートフォン２００のイヤホン穴２０５と一直線に並ぶように構成され、外部プラグ（図示せず）は、イヤホン穴２０５に挿入するために、第１挿通溝１１１５に挿通される。第２挿通溝１１１６は、スマートフォン２００のコネクタ穴２０６と一直線に並ぶように構成され、外部コネクタ（図示せず）は、コネクタ穴２０６に挿入するために、第２挿通溝１１１６に挿通される。さらに、上部ケース１１の上部ハードケース１１１は、シャフト１１１７および軸孔１１１８を有している。シャフト１１１７は、第１挿通溝１１１５と第２挿通溝１１１６との間に設けられている。軸孔１１１８は、第２挿通溝１１１６に対して第１挿通溝１１１５側と反対側に設けられている。
【００２６】
＜防水コルクモジュール＞
図４、図１０および図１１に示されるように、防水コルクモジュール２は、上部ケース１１に着脱可能に装着された弾力性を有する第１防水コルク２１と、弾力性を有する第２防水コルク２２とを含む。第１防水コルク２１および第２防水コルク２２は、いずれも防水コルクと呼ばれている。第１防水コルク２１は、細長い第１プレート２１１と、第１プレート２１１の一端部から延びる第１連結部２１２と、第１プレート２１１の他端から延びる第１挿入ピラー２１３と、第１挿入ピラー２１３に外嵌された第１Ｏリング２１４とを有する。第１プレート２１１は、第１連結部２１２と第１挿入ピラー２１３との間に設けられた第１貫通孔２１１１を有している。第１貫通孔２１１１は、マイク防水部材１４と対応する縦溝Ｃ１の一方と連通している。第１連結部２１２は、筒状をなしており、上部ケース１１のシャフト１１１７は、第１連結部２１２に挿入される。第１挿入ピラー２１３は、第１挿通溝１１１５に着脱可能に挿入されており、第１Ｏリング２１４は、第１挿通溝１１１５の内壁に密接している。これにより、本実施形態における第１防水コルク２１は、図１２および図１３に示されるように、第１連結部２１２とシャフト１１１７との協働によって、上部ケース１１に回動可能に連結されている。そのため、第１防水コルク２１は、上部ケース１１に対して回動可能であり、第１防水コルク２１の第１プレート２１１が湾曲する問題を避けるために任意の所定角で止まるように構成されている。
【００２７】
また、第２防水コルク２２は、細長い第２プレート２２１と、第２プレート２２１の一端部から延びる第２連結部２２２と、第２プレート２２１の他端部から延びる第２挿入ピラー２２３と、第２挿入ピラー２２３に外嵌された第２Ｏリング２２４とを有する。第２プレート２２１は、第２連結部２２２と第２挿入ピラー２２３との間に設けられた第２貫通孔２２１１を有している。第２貫通孔２２１１は、スピーカ防水部材１５と対応する他方の縦溝Ｃ１と連通している。本実施形態における第１貫通孔２１１１および第２貫通孔２２１１は、いずれも貫通孔と呼ばれている。
【００２８】
＜底部防水モジュール＞
図７および図１４に示されるように、本実施形態における底部防水モジュール３は、底部ケース３１を含み、底部ケース３１は、底部ハードケース３１１および弾力性を有する底部ソフトケース３１２を含む。底部ハードケース３１１は、矩形のプレートである。底部ソフトケース３１２は、環状をなし、底部ハードケース３１１の周縁部に配置されている。底部ハードケース３１１と底部ソフトケース３１２とは、互いに着脱可能に係合可能または押出成形法によって一体的に形成可能である。後述の説明は、底部ハードケース３１１および底部ソフトケース３１２の各構造をそれぞれ開示するが、図示されない実施形態における底部ハードケース３１１および底部ソフトケース３１２は、一部品であってもよい。
【００２９】
具体的には、底部ソフトケース３１２は、底部ハードケース３１１の内面に設けられた防水環３１２１を有する。防水環３１２１および底部ハードケース３１１の周縁部は、環状の収容溝３２を区画している。底部ハードケース３１１の周縁部の内側には、複数のフック溝３１１１が形成されている。フック溝３１１１は、収容溝３２と連通している。底部ソフトケース３１２は、防水環３１２１の外周縁に形成された２つの環状の当接部３１２２を有する。さらに、上部ハードケース１１１は、平坦な内面および挿入部１１１９の外縁に形成された複数のフック１１１０を有する環状の挿入部１１１９を備えている。上部ケース１１の挿入部１１１９は、底部ケース３１の収容溝３２に挿入されている。当接部３１２２は、挿入部１１１９の内面に押圧され、フック１１１０は、フック溝３１１１内にそれぞれ係合する。したがって、本実施形態における防水ハウジング１００は、挿入部１１１９、収容溝３２および当接部３１２２の協働によって、水が上部ケース１１と底部ケース３１との間の隙間を通って防水ハウジング１００に浸透するのを防止するために提供される。
【００３０】
＜作用効果＞
以上のように、本実施形態における防水ハウジングは、次のような効果を奏する。
【００３１】
１．第１リング部１２２の先端および第２リング部１２３の先端のそれぞれは、その補強特性を高めるために円弧状の断面を備え、それにより、スマートフォン２００のタッチコントロール面２０１と防水ガスケット１２との間に埃が蓄積することを防止している。さらに、第１リング部１２２と環状体１２１との間の角度が特定の範囲に規定され、第２リング部１２３が環状体１２１に対して垂直をなしているため、第１リング部１２２および第２リング部１２３の各先端が互いに重ならず、それにより、第１リング部１２２および第２リング部１２３が二層防水効果を効果的に達成するよう構成されている。
【００３２】
２．ボタン１１２１（または突出部１３２）は、ミュートキー２０２を直線的に動かすために、ベース部１３１と上部ケース１１との接続部に沿ってミュートスイッチ１３を回転操作可能である。
【００３３】
３．防水ハウジング１００は、スマートフォン２００が発生した音声をユーザーが縦溝Ｃ１から明瞭に聞き取れるように提供される。
【００３４】
４．第１防水コルク２１は、第１連結部２１２とシャフト１１１７との協働によって、上部ケース１１に回動可能に連結されている。そのため、第１防水コルク２１は、上部ケース１１に対して回転可能であり、第１防水コルク２１の第１プレート２１１が湾曲する問題を避けるために任意の所定角で止まるように構成されている。
【００３５】
５．防水ハウジング１００は、挿入部１１１９、収容溝３２および当接部３１２２の協働によって、水が上部ケース１１と底部ケース３１との間の隙間を通って防水ハウジング１００に浸透するのを防止するために提供される。
【００３６】
以上、本考案の一実施形態について説明したが、前述の構成には、実用新案登録請求の範囲に記載された事項の範囲で種々の設計変更を施すことが可能であり、本考案は、他の形態で実施することもできる。
【符号の説明】
【００３７】
１        上部防水モジュール
３        底部防水モジュール
１１      上部ケース
１２      防水ガスケット
１３      ミュートスイッチ
１４      マイク防水部材
１５      スピーカ防水部材
２１      第１防水コルク
２２      第２防水コルク
３２      収容溝
１００    防水ハウジング
１１１    上部ハードケース
１１２    上部ソフトケース
１２１    環状体
１２２    第１リング部
１２３    第２リング部
１３１    ベース部
１３２    突出部
２００    スマートフォン
２０１    タッチコントロール面
２０２    ミュートキー
３１１    底部ハードケース
３１２    底部ソフトケース
１１１１  タッチコントロール窓
１１１３  ミュートスイッチ穴
１１１９  挿入部
１２１１  上面
１２１２  下面
１３１２  Ｕ字状クリップ
１３１３  湾曲部分
１３１４  アーム部分
２１１１  第１貫通孔
２２１１  第２貫通孔
３１２１  防水環
Ｃ１      縦溝
Ｃ２      横溝
【図１】
0003205864.tif 000003
【図２】
0003205864.tif 000004
【図３】
0003205864.tif 000005
【図４】
0003205864.tif 000006
【図５】
0003205864.tif 000007
【図６】
0003205864.tif 000008
【図７】
0003205864.tif 000009
【図８】
0003205864.tif 000010
【図９】
0003205864.tif 000011
【図１０】
0003205864.tif 000012
【図１１】
0003205864.tif 000013
【図１２】
0003205864.tif 000014
【図１３】
0003205864.tif 000015
【図１４】
0003205864.tif 000016